(57)【要約】【課題】照明器具に帯電した埃の付着を防止し、また帯電した埃を、清掃作業などを行うことなく、簡易な器具構成で、静電気的に引き剥がすことが可能な照明器具を提供する。【解決手段】光源２００と、誘電体で形成された照明器具筐体１００と、前記照明器具筐体１００内に埋め込まれた電極１０１と、前記電極１０１に電圧を印加する電圧印加部１０３とを具備し、前記電極への通電により、前記照明器具筐体の外面(表皮層１０２)が帯電可能に構成されたことを特徴とする。【選択図】図１
2010277709.tif 000002
【特許請求の範囲】
【請求項１】
光源と、
誘電体で形成された照明器具筐体と、
前記照明器具筐体内に埋め込まれた電極と、
前記電極に電圧を印加する電圧印加部とを具備し、
前記電極への通電により、前記照明器具筐体の外面が帯電可能に構成された照明器具。
【請求項２】
請求項１に記載の照明器具であって、
前記電圧印加部は、正負の電圧を交互に供給するものである照明器具。
【請求項３】
請求項１に記載の照明器具であって、
前記電圧印加部は、直流電圧を供給するものである照明器具。
【請求項４】
請求項１乃至３のいずれかに記載の照明器具であって、
前記照明器具筐体は、前記光源の上部を覆うように形成され、金属板が埋め込まれた樹脂成型体で構成された照明器具。
【発明の詳細な説明】
【技術分野】
【０００１】
本発明は、照明器具に係り、特に防汚防止機能を備えた照明器具に関するものである。
【背景技術】
【０００２】
照明器具は、さまざまな環境において使用される。
たとえば住宅におけるキッチン、ダイニングなどにおいては、衣類やクッションなどの繊維類の摩擦により埃が発生し、光源と、光源から出射される光を制御するカバーなどの透光性部材、反射鏡などの光学部材と筐体とで構成される照明器具においても、透光性部材や光学部材表面に付着して、光源からの光の出射効率や、反射効率を低下させ、照明器具としての効率を低下させることとなる。また、照明器具の美観を低下させる。
【０００３】
特に、埃が帯電している場合、埃の堆積は顕著になる。
この帯電した埃の振る舞いは、相互干渉する材料が（１）金属、（２）誘電体（絶縁体）の場合で異なる。
(１)金属の場合
図６に示すように筐体１１０が金属で構成されている場合、金属が帯電していると、その帯電と逆の極性に帯電した粒子が引き付けられてしまう。２００は光源である。
そこで、対策として、金属材料を接地する方法があるが、この金属の周辺に別の帯電物、例えば点灯回路などの電気回路４００などが存在すれば、図６に示すように静電誘導により金属表面が帯電してしまう。
（２）誘電体（絶縁体）の場合
図７に示すように、筐体１２０が絶縁体である場合、なんらかの原因で絶縁体表面に静電気がたまると、金属と同様に逆の極性に帯電した粒子を引き付けてしまう。対策として帯電防止膜塗装などによる絶縁体の導電化がある。しかしながら、導電化した場合には前述した(１)金属の場合と同様になる。
【０００４】
この様に帯電した埃は帯電した材料に引き付けられ付着する。さらに、これらの結合はクーロン力で電気的に結合するため、引き剥がすのが困難である。
【０００５】
このように帯電した埃に対する解決策として、
(イ)空間加湿により帯電粒子の発生防止、
(ロ)イオン発生器(除電器など)による帯電の中和、がある。
【０００６】
しかしながら、(イ)および(ロ)の場合、照明器具全体を常に管理しなければならない。また照明器具に別途特殊装置を付加する必要があり、高コスト化/大型化してしまう。
【０００７】
そこで従来、種々の防汚機能を有する照明器具が提案されている。
そのひとつに、空気の対流を抑止して、塵や埃が反射板に付着するのを防止するため、ランプの反射板に貫通するように針状電極を形成し、これと平板電極との間にコロナ放電を生起するようにしたものが提案されている（特許文献１）。この照明器具では、針状電極と、平板電極との間に生起されたコロナ放電により空気中の物質が一部電離されてイオンとなり、イオン流を生成することで、空気の対流を抑止し、塵や埃の付着を防止する。
【０００８】
また、照明器具ではないが、掃除機のケーシング内に電極を設け、高電圧発生回路によって高電圧を印加し、この高電圧発生回路からの電圧によりイオンを発生せしめ、ケーシング部とじゅうたんなどの表面との間で発生する静電気による帯電電荷を中和し、徐電することで、集塵性能を高め、埃のたまることのない器具を構成したものも提案されている（特許文献２）。
【先行技術文献】
【特許文献】
【０００９】
【特許文献１】特開平７−１８２９１９号公報
【特許文献２】特開平７−２２２７０１号公報
【発明の概要】
【発明が解決しようとする課題】
【００１０】
しかしながら、いずれも、おおがかりな付加設備を必要とし、また、照明器具本来の外観を変える場合が多く、大幅設計変更を必要とするものであった。
本発明は前記実情に鑑みてなされたもので、照明器具に帯電した埃の付着を防止し、また帯電した埃を、清掃作業などを行うことなく、簡易な器具構成で、静電気的に引き剥がすことが可能な照明器具を提供することを目的とする。
【課題を解決するための手段】
【００１１】
そこで本発明では、光源と、誘電体で形成された照明器具筐体と、前記照明器具筐体内に埋め込まれた電極と、前記電極に電圧を印加する電圧印加部とを具備し、前記電極への通電により、前記照明器具筐体の外面が帯電可能に構成されたことを特徴とする。
この構成によれば、照明器具筐体の外面を帯電させることにより、帯電した埃を清掃作業を行うことなく、通電により電気的に引きはがすことができる。
【００１２】
また本発明は、上記照明器具において、前記電圧印加部が、正負の電圧を交互に供給するものである。
この構成によれば、電圧印加部が電圧を供給しないとき、帯電した埃は照明器具に堆積する。その際、帯電した埃と接する筐体は表面が誘電体であるため、電荷の移動は起こらず、埃は帯電を維持する。
そして電圧印加部が電極に＋電圧を印加すると、導電体は＋極性となる。これにより、絶縁体において誘導分極が生じ、外側に＋電荷が溜まる。その際、帯電した埃の中で＋帯電している埃が電荷の反発により引き剥がされる。
こののち、電圧印加部が電極に−電圧を印加すると、導電体は−極性となる。これにより、絶縁体において誘導分極が生じ、外側に−電荷が溜まる。その際、帯電した埃の中で、−帯電している埃が電荷の反発により引き剥がされる。
【００１３】
また本発明は、上記照明器具において、前記照明器具筐体は、前記光源の上部を覆うように形成され、金属板が埋め込まれた樹脂成型体で構成される。
この構成により、埃の溜まりやすい上面を順次帯電させることで、埃が溜るのを抑制することができる。また、高所にある照明器具に対しても、電気的制御のみで容易に埃の付着を防止することができる。
【００１４】
また本発明は、上記照明器具において、前記電圧印加部は、常時通電される。
【００１５】
また本発明は、上記照明器具において、前記電圧印加部は、制御部を具備し、お掃除モードの場合に通電される。
【発明の効果】
【００１６】
本発明の照明器具によれば、極めて簡単な構成で、特別な清掃作業を行うことなく、帯電した埃を簡易な器具構成で引きはがすことが可能となり、メンテナンスが簡単となる。
【図面の簡単な説明】
【００１７】
【図１】本発明の実施の形態１のシーリングライトの外観図
【図２】同シーリングライトの断面説明図
【図３】同シーリングライトのカバーの外表面を示す要部拡大断面図
【図４】同シーリングライトのカバーの外表面における埃の挙動を示す要部拡大断面図
【図５】同照明器具における電源制御部の通電のタイムチャートを示す図
【図６】従来例を示す図
【図７】従来例を示す
【発明を実施するための形態】
【００１８】
（実施の形態１）
本発明の実施の形態１として、埃堆積抑制機能を備えた照明器具について説明する。ここでは、照明器具筐体としてシーリングライトのカバー１００への防汚機能を具備したものである。図１はこのシーリングライトの外観図、図２は同シーリングライトの断面説明図、図３はこのシーリングライトのカバー１００における埃堆積防止機能を示す説明図、図４はこのシーリングライトのカバー１００の断面における埃の挙動を示す工程説明図、図５はこの照明器具の埃堆積抑制機能を実施するための制御部のタイムチャートを示す図である。
【００１９】
本実施の形態のシーリングライトの光源２００は、通例の構造をとるものであるが、図２に示すように、器具本体２０１に丸管蛍光灯２０２が装着され、点灯回路２０３によって点灯制御がなされるように構成されている。
【００２０】
本実施の形態では、図３および４に示すようにシーリングライトのカバー１００を構成する基材を、金属板を成形して形成された内部芯層１０１と、この内部芯層１０１を埋め込み成形した樹脂製の表皮層１０２と、この内部芯層１０１に通電する制御電源部１０３とを具備し、図５に示すように交互に正負の電圧を供給するようにしたものである。
【００２１】
まず初めに、図５において状態１に示した様に、制御電源部からの印加電圧がない時、帯電した埃は照明器具に堆積する（図４（ａ））。
その際、帯電した埃と接する材料カバー表面は樹脂からなる表皮層は絶縁体であるため、電荷の移動は起こらず埃は帯電を維持する。
【００２２】
次に、図５において状態２に示した様に、制御電源部１０３から＋電圧を印加すると、導電体は＋極性となる。これにより、絶縁体において誘導分極が生じ、外側に＋電荷が溜まる。その際、帯電した埃の中で＋帯電している埃が電荷の反発により引き剥がされる（図４（ｂ））。
【００２３】
最後に、図５において状態３に示した様に、制御電源部１０３から−電圧を印加すると、状態２と反対に作用し、帯電した埃の中で−帯電している埃が電荷の反発により引き剥がされる。
【００２４】
なお、「お掃除モード」を搭載して、その時だけ制御電源部を動作させても良い。また、制御電源部の駆動はリモコンスイッチで行うようにし、適宜選択可能とすることで、埃の堆積がひどい場合は、常時作動するようにしてもよい。
【００２５】
また、状態１において±を問わず一定電圧を印加して、静電的に印加電圧と反対の極性に帯電した埃を寄せ付けない様にしても良い。
【００２６】
また、カバー１００を構成する樹脂成型体としては、ガラス、プラスチック（アクリル、ポリカほか）など材料は問わない。前面透光体も一体的に形成する場合には透光性を有する材料を用いるのが望ましい。
【００２７】
さらにまた、カバーの形状については適宜変形可能であり、内部芯層の形状および全体に対する面積についても適宜変更可能である。
【００２８】
また、表皮層１０２の外表面がフラット形状のものが埃の堆積物が入りこまないようにすることができるため望ましい。
【００２９】
なお、照明器具としては、光源を囲むように照明器具筐体などの外装部材を有するものであれば、形状は問わない。また、器具本体、あるいは丸管蛍光灯などのガラス管に、たとえば線状の導電体を埋め込み、この導電体に通電可能となるようにしても同様の効果を得ることができる。さらにまた、一部または全体に酸化インジウム錫（ＩＴＯ）などの透光性導電膜を形成し、さらに表面にガラス層あるいは樹脂層などの誘電体層を積層するようにしてもよい。この構成は、シーリングライトの前面透光性部材など、透光性を有する部材への使用においてより有効である。
【００３０】
〔内部芯層〕  
なお、ここで内部芯層１０１は、導電性材料であれば、特に制限されるものではないが、照明器具筐体に用いるため、例えば金属など、強度が高いものが望ましい。
また、材料の肉厚に関しては、強度を維持できれば特に制限されるものではない。
さらに、金属を内部芯層１０１として用いる場合には、一般的にはＡｌ基合金、Ｍｇ基合金、Ｆｅ基合金などが挙げられ、成形方法としてはスピニング加工、プレス加工、液圧成形、ダイキャスト、チクソモールディングなどが挙げられる。
さらにまた、感電事故を防ぐため、後述する「制御電源部」との接続部分は絶縁体により被覆されていることが望ましい。これにより、屋外や浴室など水がある場所でも安全に使用できる。
【００３１】
〔表皮層〕
また、表皮層としては、誘電体材料すなわち、絶縁性材料であれば、例えばプラスチック・ガラスなど、特に制限されるものではないが、誘電率が高く、誘電分極を起こし易いもの、照明器具筐体に用いるため装飾性が良いものが好ましい。
また表皮層の膜厚に関しては、誘電分極により照明器具筐体表面が帯電する程度であり、かつ耐擦傷性が高く剥がれにくい程度の厚みが望ましい。
さらにまた、表皮層を任意の形状に形成する方法としては、特に限定されるものではないが、プラスチックであれば射出成形、圧縮成形、トランスファー成形、真空成形、圧空成形などが挙げられる。
ガラスを基材として用いる場合には、プレス加工やブロー加工などが代表的である。
【００３２】
〔制御電源部〕
さらに制御電源部としては、適正な電圧値/周期で電圧印加できるものであれば、特に制限されない。なお、電圧波形も、特に制限されるものではない。
またこの制御電源部の片方は上記内部芯層１０１に接続されている。もう一方は接地されている方が印加電圧を制御するのが容易となり好ましい。なお、制御電源部に電力を供給する方法は、後述する光源２００の点灯回路２０３と同じ電力源を用いるようにしても良い。
【００３３】
〔光源〕
さらにまた、光源として、白熱球、蛍光灯、コンパクト蛍光灯、水銀灯、ＥＬ、ＬＥＤ等を用いることができ、特に制限されるものではない。
【００３４】
〔照明器具〕
また、照明器具の形態としては、シーリングライト、ベースライト、ダウンライト、スポットライトなど、特に限定されるものではない。また、照明器具が設置される場所（屋内、屋外）、空間（屋内であればリビング、キッチン、浴室etc）も、特に限定されるものではない。
さらにまた、この照明器具は天井面や壁面上の一部に配設されるが、配設位置は部屋の中央、壁際など特に限定されるものではなく、さらに、固定されていてもよいし、移動可能な構造としてもよい。
【００３５】
〔埃（帯電した埃）〕
なお、本発明で定義する埃とは、繊維から出る屑・毛髪・虫などである。また、埃は絶縁物であるため、擦れ合うと埃が帯電し、その極性は埃の種類によって変化する。
【００３６】
なお前記実施の形態では、制御電源部として、交流電源を用いたが、直流であってもよい。極性については、筐体などの部材の表面を構成する材料と、環境とそこに存在する埃の種類によって、擦れ合って帯電する埃の極性は異なるため、その帯電状況に応じて選択するのが望ましい。
【００３７】
以上説明してきたように、本発明によれば、セルフクリーニングが可能であるため、汚れの生じ易いキッチン用照明器具、高い天井に設置されるシーリングライトをはじめとする種々の照明器具などにも適用可能である。
【符号の説明】
【００３８】
１００  カバー
１０１  内部芯層
１０２  表皮層
１０３  制御電源部
２００  光源
２０１  器具本体
２０２  丸管蛍光灯
２０３  点灯回路
３００  埃
４００  電気回路
【図１】
2010277709.tif 000003
【図２】
2010277709.tif 000004
【図３】
2010277709.tif 000005
【図４】
2010277709.tif 000006
【図５】
2010277709.tif 000007
【図６】
2010277709.tif 000008
【図７】
2010277709.tif 000009